(57)【要約】【課題】  情報処理装置へ画像データを送信するような場合に、操作部を操作することによって情報処理装置と接続し情報処理装置のディレクトリを指定したり、予め送信先のパスが画像処理装置に設定されている必要があった。ユーザにとっては、これらの操作を行うことは煩雑であり、もっと直感的な格納先の指定方法が必要である。【解決手段】  情報処理装置における格納したいディレクトリを開くもしくは選択して、画像処理装置と通信するだけで、画像処理装置で読み取られた画像が所望のディレクトリに格納される。【選択図】  図１９
2010122810.tif 000002
【特許請求の範囲】
【請求項１】
画像処理装置と無線通信を行う情報処理装置であって、
前記画像処理装置と無線通信を行う無線通信手段と、
前記情報処理装置の格納場所を指定する指定手段と、
前記無線通信手段により前記画像処理装置と無線通信が開始されたかどうか判断する判断手段と、
前記判断手段によって無線通信が開始されたと判断したことに応じて前記指定手段で指定された格納場所の情報を前記画像処理装置へ送信する送信手段と、
前記画像処理装置から前記格納場所の情報に基づいて決定された格納場所の情報と画像データとを前記無線通信を介して受信する受信手段とを、
有することを特徴とする情報処理装置。
【請求項２】
前記指定手段は、前記無線通信手段による無線通信を開始する前に、格納場所を示す格納場所の情報を指定することを特徴とする請求項１記載の情報処理装置。
【請求項３】
前記送信手段は、前記判断手段によって無線通信が開始されたと判断したことに応じて前記指定手段で指定された格納場所の情報を、ユーザによる送信のための操作なしに前記画像処理装置へ送信することを特徴とする請求項１ないし２のいずれかに記載の情報処理装置。
【請求項４】
前記指定手段により格納場所が指定されていない場合には、特定の格納場所を指定することを特徴とする請求項１ないし３のいずれかに記載の情報処理装置。
【請求項５】
前記特定の格納場所は、前記情報処理装置のデスクトップであることを特徴する請求項４記載の情報処理装置。
【請求項６】
画像処理装置と無線通信を行う情報処理装置であって、
前記画像処理装置と無線通信を行う無線通信手段と、
前記無線通信手段による無線通信を開始する前に、情報処理装置の格納場所を指定する指定手段と、
前記画像処理装置から画像データを前記無線通信を介して受信する受信手段と、
前記受信手段によって受信した画像データを、前記指定手段で指定された格納場所に記憶する記憶手段とを有することを特徴とする情報処理装置。
【請求項７】
前記記憶手段は、ユーザによる記憶のための操作なしに記憶することを特徴とする請求項６記載の情報処理装置。
【請求項８】
前記指定手段により格納場所が指定されていない場合には、特定の格納場所を指定することを特徴とする請求項６ないし７のいずれかに記載の情報処理装置。
【請求項９】
前記特定の格納場所は、前記情報処理装置のデスクトップであることを特徴する請求項８記載の情報処理装置。
【請求項１０】
前記無線通信手段は、前記画像処理装置に近づけることによって無線通信を開始することを特徴とする請求項１ないし９のいずれかに記載の情報処理装置。
【請求項１１】
情報処理装置と無線通信を行う画像処理装置であって、
前記情報処理装置と無線通信を行う無線通信手段と、
画像データを記憶する記憶手段と、
前記無線通信手段により前記情報処理装置と無線通信が開始されたかどうか判断する判断手段と、
前記判断手段によって無線通信が開始されたと判断したことに応じて前記情報処理装置から前記情報処理装置の格納場所の情報を取得する取得手段と、
前記取得手段によって取得された前記格納場所の情報に基づいて、前記情報処理装置の格納場所を決定する決定手段と、
前記無線通信手段を介して前記記憶手段に記憶された画像データと前記決定手段で決定された前記格納場所の情報を前記情報処理装置に送信する送信手段とを有することを特徴とする画像処理装置。
【請求項１２】
前記取得手段は、前記判断手段によって無線通信が開始されたと判断したことに応じて前記取得手段で取得された格納場所の情報を、ユーザによる取得のための操作なしに取得することを特徴とする請求項１１に記載の情報処理装置。
【請求項１３】
前記取得手段で取得した格納場所の情報を表示する表示手段を有することを特徴とする請求項１１ないし１２のいずれかに記載の画像処理装置。
【請求項１４】
前記取得手段によって取得された前記格納場所と異なる格納場所に、画像データを格納したい場合には、前記情報処理装置の格納場所を探索する探索手段をさらに有し、前記決定手段は前記探索手段で探索した格納場所情報に基づいて格納場所を決定することを特徴とする請求項１１ないし１３のいずれかに記載の画像処理装置。
【請求項１５】
前記取得手段によって取得された前記格納場所の情報が複数あった場合には、前記表示手段に複数の前記格納場所の情報を前記表示手段に表示させることを特徴とする請求項１３記載の画像処理装置。
【請求項１６】
前記取得手段によって取得された格納場所の情報に他のフォルダと識別できるフォルダ名を作成することを特徴とする請求項１１ないし１５のいずれかに記載の画像処理装置。
【請求項１７】
原稿を読み取る読み取り手段を更に有し、
前記送信手段は、前記読み取り手段で読み取った原稿を送信することを特徴とする請求項１１ないし１６のいずれかに記載の画像処理装置。
【請求項１８】
複数の画像データを格納する格納手段と、
前記格納手段に格納された画像データを選択する選択手段をさらに有し、
前記送信手段は、前記選択手段で選択された画像データを送信することをとくとする請求項１１ないし１７のいずれかに記載の画像処理装置。
【請求項１９】
前記無線通信手段は、前記情報処理装置に近づけることによって無線通信を開始することを特徴とする請求項１１ないし１８のいずれかに記載の画像処理装置。
【請求項２０】
画像処理装置と無線通信を行う情報処理装置を制御するプログラムであって、
前記画像処理装置と無線通信を行う無線通信工程と、
前記処理装置の格納場所を指定する指定工程と、
前記無線通信工程により前記画像処理装置と無線通信が開始されたかどうか判断する判断工程と、
前記判断工程によって無線通信が開始されたと判断したことに応じて前記指定工程で指定された格納場所の情報を前記画像処理装置へ送信する送信工程と、
前記画像処理装置から前記格納場所の情報に基づいて決定された格納場所の情報と画像データとを前記無線通信を介して受信する受信工程とを、
有することを特徴とする情報処理装置を制御するプログラム。
【請求項２１】
画像処理装置と無線通信を行う情報処理装置を制御するプログラムであって、
前記画像処理装置と無線通信を行う無線通信工程と、
前記無線通信工程による無線通信を開始する前に、情報処理装置の格納場所を指定する指定工程と、
前記画像処理装置から画像データを前記無線通信を介して受信する受信工程と、
前記受信工程によって受信した画像データを、前記指定工程で指定された格納場所に記憶する記憶工程とを有することを特徴とする情報処理装置を制御するプログラム。
【請求項２２】
情報処理装置と無線通信を行う画像処理装置を制御するプログラムであって、
前記情報処理装置と無線通信を行う無線通信工程と、
画像データを記憶する記憶工程と、
前記無線通信工程により前記情報処理装置と無線通信が開始されたかどうか判断する判断工程と、
前記判断工程によって無線通信が開始されたと判断したことに応じて前記情報処理装置から前記情報処理装置の格納場所の情報を取得する取得工程と、
前記取得工程によって取得された前記格納場所の情報に基づいて、前記情報処理装置の格納場所を決定する決定工程と、
前記無線通信工程を介して前記記憶工程で記憶された画像データと前記決定工程で決定された前記格納場所の情報を前記情報処理装置に送信することを特徴とする画像処理装置を制御するプログラム。
【発明の詳細な説明】
【技術分野】
【０００１】
本発明は、画像処理装置、情報処理装置、情報処理装置を制御する制御プログラム及び画像処理装置を制御する制御プログラムに関するものである。
【背景技術】
【０００２】
近年、ＬＡＮ環境下に、スキャナ、プリンタ及び複合機であるＭＦＰ（Ｍｕｌｔｉ  Ｆｕｎｃｔｉｏｎ  Ｐｅｒｉｐｈｅｒａｌ）などが配備され、ＬＡＮ内で共用されるようになってきている。ＭＦＰにおいては、複合機が有するスキャナをネットワーク上の各情報処理装置（ホストコンピュータ）が共有し、スキャナから読み取った画像データをネットワーク内の任意のホストコンピュータに保存しておくといったような形で使われている。
【０００３】
スキャナから読み取った画像データをホストコンピュータが取得する手法としては、ネットワーク上のホストコンピュータからＭＦＰ上のスキャナを制御して、そのホストコンピュータに読み取った画像データを取込む手法がある。
【０００４】
スキャナで読み取った画像データを当該スキャナ側で宛先のホストコンピュータを指定して送信する場合には、宛先（送信先）のホストコンピュータのＩＤのみならず、その宛先のディレクトリや、もしくは電子メールアドレスを正しく入力する必要があった。
【０００５】
この場合だけでなく、ＭＦＰのストレージに蓄積されている画像ファイルを送信する場合も、宛先の指定に関して同様の問題があった。
【０００６】
従来のスキャナ画像の送信の宛先指定方法としては、ホストコンピュータに送信するのに必要な宛先情報をスキャナ側の操作部画面上で探索し、その探索結果のリストを操作部画面に表示して選択させることにより設定させるものがある（特許文献１参照）。
【０００７】
また、スキャナの操作部上に不要なキーを設けないようにしたものも提案されている。ユーザの識別情報とユーザ毎に予め作成されるスキャナにより読み取られた画像が記憶されるディレクトリとがサーバー上で関連付けされ、識別情報に対応するディレクトリに画像を格納するように構成したものもある（特許文献２参照）。
【０００８】
また、装置間で画像データを転送する方法として、例えば、特許文献３に記載された方法のように、近距離の装置間で高速に無線通信を行う仕組みも考案されている。このような仕組みを応用すれば、携帯可能なノート型ＰＣ（パーソナルコンピュータの略）を画像処理装置の通信部の近傍に配置するだけで、ユーザは、画像処理装置のスキャナで読み取られた画像データをノート型ＰＣへ送信することができる。
【特許文献１】特開２００３−２７４１０２号公報
【特許文献２】特開平９−３７０１３号公報
【特許文献３】特開２００８−９９２３６号公報
【発明の開示】
【発明が解決しようとする課題】
【０００９】
しかしながら、特許文献１に記載された方法では、宛先を画像処理装置上の操作部を操作することによって指定する必要があり、また、メールアドレスやホストコンピュータのＩＤ（ホスト名）やその宛先のディレクトリを指定する必要がある。
【００１０】
また、特許文献２に記載された方法では、予めユーザの識別情報とスキャナによって読み取った画像を格納するディレクトリ情報が関連付けしてある必要があり、初めてその画像処理装置を使用する場合等ではその効果を発揮できない。
【００１１】
いずれにしても、特許文献３に記載された方法のように、近距離の高速無線通信を行うような場合には、近づけただけで直感的に所望の操作が行えることが望ましく、その意味ではどちらも直感的に格納先を指定できるとは言い難い。また、特許文献３においても、実際にスキャナにより読み取った画像を、ノート型ＰＣを画像処理装置の通信部の近傍に配置するだけで、ノート型ＰＣの所望のディレクトリに送信する具体的な手法に関しては言及されていない。
【００１２】
本発明は、上記の課題に鑑みてなされたものであり、画像処理装置の画像を、情報処理装置に転送する際に、直感的に格納先を指定できることを目的とする。
【課題を解決するための手段】
【００１３】
上述した課題を解決するために、本発明は、画像処理装置と無線通信を行う情報処理装置であって、前記画像処理装置と無線通信を行う無線通信手段と、前記情報処理装置の格納場所を指定する指定手段と、前記無線通信手段により前記画像処理装置と無線通信が開始されたかどうか判断する判断手段と、前記判断手段によって無線通信が開始されたと判断したことに応じて前記指定手段で指定された格納場所の情報を前記画像処理装置へ送信する送信手段と、前記画像処理装置から前記格納場所の情報に基づいて決定された格納場所の情報と画像データとを前記無線通信を介して受信する受信手段とを有することを特徴とする。
【００１４】
さらに、本発明は、画像処理装置と無線通信を行う情報処理装置であって、前記画像処理装置と無線通信を行う無線通信手段と、前記無線通信手段による無線通信を開始する前に、情報処理装置の格納場所を指定する指定手段と、前記画像処理装置から画像データを前記無線通信を介して受信する受信手段と、前記受信手段によって受信した画像データを、前記指定手段で指定された格納場所に記憶する記憶手段とを有することを特徴とする。
【００１５】
さらに、本発明は、情報処理装置と無線通信を行う画像処理装置であって、前記情報処理装置と無線通信を行う無線通信手段と、画像データを記憶する記憶手段と、前記無線通信手段により前記情報処理装置と無線通信が開始されたかどうか判断する判断手段と、前記判断手段によって無線通信が開始されたと判断したことに応じて前記情報処理装置から前記情報処理装置の格納場所の情報を取得する取得手段と、前記取得手段によって取得された前記格納場所の情報に基づいて、前記情報処理装置の格納場所を決定する決定手段と、
前記無線通信手段を介して前記記憶手段に記憶された画像データと前記決定手段で決定された前記格納場所の情報を前記情報処理装置に送信することを特徴とする。
【００１６】
さらに、本発明は、画像処理装置と無線通信を行う情報処理装置を制御するプログラムであって、前記画像処理装置と無線通信を行う無線通信工程と、前記処理装置の格納場所を指定する指定工程と、前記無線通信工程により前記画像処理装置と無線通信が開始されたかどうか判断する判断工程と、前記判断工程によって無線通信が開始されたと判断したことに応じて前記指定工程で指定された格納場所の情報を前記画像処理装置へ送信する送信工程と、前記画像処理装置から前記格納場所の情報に基づいて決定された格納場所の情報と画像データとを前記無線通信を介して受信する受信工程とを有することを特徴とする。
【００１７】
さらに、本発明は、画像処理装置と無線通信を行う情報処理装置を制御するプログラムであって、前記画像処理装置と無線通信を行う無線通信工程と、前記無線通信工程による無線通信を開始する前に、情報処理装置の格納場所を指定する指定工程と、前記画像処理装置から画像データを前記無線通信を介して受信する受信工程と、前記受信工程によって受信した画像データを、前記指定工程で指定された格納場所に記憶する記憶工程とを有することを特徴とする。
【００１８】
さらに、本発明は情報処理装置と無線通信を行う画像処理装置を制御するプログラムであって、前記情報処理装置と無線通信を行う無線通信工程と、画像データを記憶する記憶工程と、前記無線通信工程により前記情報処理装置と無線通信が開始されたかどうか判断する判断工程と、前記判断工程によって無線通信が開始されたと判断したことに応じて前記情報処理装置から前記情報処理装置の格納場所の情報を取得する取得工程と、前記取得工程によって取得された前記格納場所の情報に基づいて、前記情報処理装置の格納場所を決定する決定工程と、前記無線通信工程を介して前記記憶手段に記憶された画像データと前記決定工程で決定された前記格納場所の情報を前記情報処理装置に送信することを特徴とする。
【発明の効果】
【００１９】
本発明によれば、画像処理装置の画像を、情報処理装置に転送する際に、直感的に格納先を指定できる。これにより、ユーザの操作性が著しく向上する。
【発明を実施するための最良の形態】
【００２０】
以下、本発明を実施するための最良の形態について図面を用いて説明する。
【００２１】
＜第１の実施形態＞
まず、本発明の第１の実施形態について説明する。
【００２２】
まず本第１の実施形態に関わる画像処理装置の構成を、図１を用いて説明する。図１は、本実施形態における画像処理装置の外観図である。本実施形態では、画像処理装置の例として、多機能周辺機器（Ｍｕｌｔｉ  Ｆｕｎｃｔｉｏｎａｌ  Ｐｅｒｉｐｈｅｒａｌ  ｄｅｖｉｃｅ：  以降ＭＦＰと略す）を例に説明する。
【００２３】
ＭＦＰ１００は、通信部１０と表示部１１とを備える。
【００２４】
通信部１０は、デジタルカメラや、携帯電話、ＰＤＡ、ノート型ＰＣ等の外部情報処理装置と無線で通信を行うためのものである。ユーザは、情報処理装置１０００を通信部１０に近づけることによって、ＭＦＰ１００と、情報処理装置１０００との通信が可能になる。このようにＭＦＰ１００は、情報処理装置１０００と無線通信可能に構成されている。ここでは、情報処理装置１０００として、ノート型ＰＣを例にした場合について説明するが、これに限らない。デジタルカメラや、携帯電話、ＰＤＡ、ノート型ＰＣ等の情報処理装置であればよい。
【００２５】
表示部１１は、タッチパネルと液晶表示部とで構成され、操作画面を表示し、ユーザからの指示を受付ける。また、表示部１１は、ＭＦＰ１００の状態を表示する。
【００２６】
次に、図２を用いて、ＭＦＰ１００と情報処理装置１０００（以降、ノート型ＰＣと呼ぶ）とからなる画像処理システムの構成を説明する。
【００２７】
コントローラ部１１０は、リーダ部２００、プリンタ部３００と電気的に接続されており、リーダ部２００やプリンタ部３００から情報を受信したり、リーダ部２００やプリンタ部３００に各種コマンドを送信したりする。また、コントローラ部１１０は、ネットワーク４０００を介して、ＰＣ（Ｐｅｒｓｏｎａｌ  ｃｏｍｐｕｔｅｒ）４００１、４００２と接続されており、ＰＣ４００１やＰＣ４００２からネットワーク４０００を介して画像データや制御コマンドを送受信する。ネットワークとしては、例えばイーサネット（登録商標）があげられる。
【００２８】
リーダ部２００は、原稿画像を光学的に読み取り、画像データに変換する。リーダ部２００は、原稿を読み取るための機能を持つスキャナユニット２１０と、原稿用紙をスキャナユニット２１０によって読み取ることができる位置まで搬送する原稿給紙ユニット２９０とで構成される。
【００２９】
スキャナコントローラ２１０Ａは、コントローラ部１１０からの指示に基づいて、原稿給紙ユニット２９０とスキャナユニット２１０を制御する。
【００３０】
プリンタ部３００は、印刷用のシートを収納する給紙ユニット３１０と、画像データをシートに転写、定着するマーキングユニット３２０と、印刷されたシートを排紙する排紙ユニット３３０とで構成される。プリンタ部３００は、コントローラ部１１０からの指示に基づいて、給紙ユニット３１０からシートを給紙し、給紙したシートに画像データを印刷し、印刷したシートを排紙ユニット３３０に排紙する。
【００３１】
なお、給紙ユニット３１０は、複数種類のシートを収納することができる。また、排紙ユニット３３０は、印刷されたシートに対して、ソートやステイプルを行うことができる。
【００３２】
操作部２５０は、図１の表示部１１に相当し、例えば、ハードキーや、液晶表示部と液晶表示部上に貼り付けられたタッチパネル部で構成され、それらを介してユーザの指示を受付ける。操作部２５０は、ユーザから受付けた指示に対応するコマンドをコントローラ部１１０に送信し、コントローラ部１１０は、受信したコマンドに従った制御を行う。また、操作部２５０は、液晶表示部に、ＭＦＰ１００の操作を受付けるためのソフトキーや、ＭＦＰ１００の機能や状態を示す表示を行う。
【００３３】
ＨＤＤ（Ｈａｒｄ  Ｄｉｓｋ  Ｄｒｉｖｅ）２６０は、ＭＦＰ１００の各種設定や、画像データを記憶する。さらに、ＨＤＤ２６０は、ＭＦＰ１００の動作を制御するプログラムを記憶する。
【００３４】
これらの構成を用いて、ＭＦＰ１００は、例えば、コピー機能、画像データ送信機能、プリンタ機能などを実行する。コピー機能を実行する場合、コントローラ部１１０は、リーダ部２００によって原稿の画像データを読込み、読み込んだ画像データをプリンタ部３００によってシートに印刷する。画像データ送信機能を実行する場合、コントローラ部１１０は、リーダ部２００によって読み取った画像データをコードデータに変換し、ネットワーク４０００を介してＰＣ４００１、４００２に送信する。プリンタ機能を実行する場合、コントローラ部１１０は、ＰＣ４００１、４００２からネットワーク４０００を介して受信したコードデータを解析、展開することによって、画像データに変換し、プリンタ部３００に出力する。プリンタ部３００は、コントローラ部１１０から受けた画像データに基づいて印刷を行う。
【００３５】
なお、本実施形態では、画像処理装置の例として複数の機能からなるＭＦＰ１００を用いて説明するが、コピー機能のみからなるコピー機、またはプリンタ機能のみからなるＳＦＰ（Ｓｉｎｇｌｅ  Ｆｕｎｃｔｉｏｎ  Ｐｅｒｉｐｈｅｒａｌ）であってもよい。
【００３６】
無線通信部４００は、通信部１０に備えられるものであり、通信部１０にノート型ＰＣ１０００が近づけられことを検知し、ノート型ＰＣ１０００との間で、制御データや画像データ等を送受する。無線通信部４００は、制御装置１１０からの指示に基づいて制御するようにしてもよいし、無線通信部４００が独自にＣＰＵを備え、ＣＰＵが無線通信部４００を制御するようにしてもよい。
【００３７】
次に、図３に示すブロック図を用いて、コントローラ部１１０の構成を説明する。
【００３８】
メインコントローラ１１１は、主にＣＰＵ（Ｃｅｎｔｒａｌ  Ｐｒｏｃｅｓｓｉｎｇ  ｕｎｉｔ）１１２と、バスコントローラ１１３と、各種Ｉ／Ｆ（ｉｎｔｅｒｆａｃｅ）コントローラ回路から構成される。
【００３９】
ＣＰＵ１１２とバスコントローラ１１３は、コントローラ部１１０全体の動作を統括的に制御する。ＣＰＵ１１２はＲＯＭ（Ｒｅａｄ  ｏｎｌｙ  ｍｅｍｏｒｙ）１１４からＲＯＭＩ／Ｆ１１５を経由して読込んだプログラムに基づいて各種動作を実行する。例えば、ＣＰＵ１１２は、読み込んだプログラムに基づいて、図１に示したＰＣ４００１またはＰＣ４００２から受信したコードデータ（例えばＰＤＬ（ページ記述言語））を解釈したり、ＤＲＡＭ１１６やＨＤＤ２６０等のメモリの記憶制御を行ったりする。
【００４０】
バスコントローラ１１３は各Ｉ／Ｆから入出力されるデータ転送を制御するものであり、バスの調停やＤＭＡ（Ｄｉｒｅｃｔ  Ｍｅｍｏｒｙ  Ａｃｃｅｓｓ）データ転送の制御を行う。
【００４１】
ＤＲＡＭ（Ｄｙｎａｍｉｃ  Ｒａｎｄｏｍ  Ａｃｃｅｓｓ  ｍｅｍｏｒｙ）１１６はＤＲＡＭＩ／Ｆ１１７によってメインコントローラ１１１と接続されており、ＣＰＵ１１２のワークエリアや、画像データを蓄積するためのエリアとして使用される。
【００４２】
Ｃｏｄｅｃ１１８は、ＤＲＡＭ１１６に蓄積されたラスタイメージデータをＭＨ／ＭＲ／ＭＭＲ／ＪＢＩＧ／ＪＰＥＧ等の方式で圧縮し、また逆に、圧縮された状態で蓄積されたコードデータをラスタイメージデータに伸長する等の処理を行う。
【００４３】
ＳＲＡＭ１１９はＣｏｄｅｃ１１８の一時的なワーク領域として使用される。Ｃｏｄｅｃ１１８は、Ｉ／Ｆ１２０を介してメインコントローラ１１１と接続され、ＤＲＡＭ１１６との間のデータの転送は、バスコントローラ１１３によって制御されＤＭＡ転送される。
【００４４】
Ｇｒａｐｈｉｃ  Ｐｒｏｃｅｓｓｏｒ１３５は、ＤＲＡＭ１１６に蓄積されたラスタイメージデータに対して、画像回転、画像変倍、色空間変換、二値化などの処理を行う。ＳＲＡＭ１３６はＧｒａｐｈｉｃ  Ｐｒｏｃｅｓｓｏｒ１３５の一時的なワーク領域として使用される。Ｇｒａｐｈｉｃ  Ｐｒｏｃｅｓｓｏｒ１３５はＩ／Ｆ１３７を介してメインコントローラ１１１と接続され、ＤＲＡＭ１１６との間のデータの転送は、バスコントローラ１１３によって制御されＤＭＡ転送される。
【００４５】
Ｎｅｔｗｏｒｋ  Ｃｏｎｔｏｒｌｌｅｒ１２１はＩ／Ｆ１２３によってメインコントローラ１１１と接続され、コネクタ１２２によって、ネットワーク４０００のような外部ネットワークと接続される。
【００４６】
汎用高速バス１２５には、拡張ボードを接続するための拡張コネクタ１２４とＩ／Ｏ制御部１２６とが接続される。汎用高速バス１２５としては、例えば、ＰＣＩ（Ｐｅｒｉｐｈｅｒａｌ  Ｃｏｍｐｏｎｅｎｔ  Ｉｎｔｅｒｃｏｎｎｅｎｔ）バスがあげられる。Ｉ／Ｏ制御部１２６は、リーダ部２００、プリンタ部３００の各ＣＰＵと制御コマンドを送受信するための調歩同期式のシリアル通信部コントローラ１２７を２チャンネル装備している。Ｉ／Ｏ制御部１２６は、Ｉ／Ｏバス１２８によってスキャナＩ／Ｆ１４０、プリンタＩ／Ｆ１４５に接続されている。
【００４７】
パネルＩ／Ｆ１３２は、図１に示す操作部２５０との間でデータの受渡しを行うＩ／Ｆであって、ＬＣＤコントローラ１３１から転送されてきた画像データを、操作部２５０に転送する。また、パネルＩ／Ｆ１３２は、操作部２５０が備えるハードキーや液晶タッチパネルキーなどのキーを介して受付けたキー入力信号をキー入力Ｉ／Ｆ１３０を介してＩ／Ｏ制御部１２６に転送する。
【００４８】
リアルタイムクロックモジュール１３３は、ＭＦＰ１００内で管理する日付と時刻を更新／保存するためのもので、バックアップ用電池１３４によって電力を供給されている。
【００４９】
Ｅ−ＩＤＥ（Ｅｎｈａｎｃｅｄ  Ｉｎｔｅｇｒａｔｅｄ  Ｄｒｉｖｅ  Ｅｌｅｃｔｒｏｎｉｃｓ）インタフェース１６１は、ＨＤＤ２６０を接続するためのものである。ＣＰＵ１１２は、Ｅ−ＩＤＥＩ／Ｆを介してＨＤＤ２６０に画像データを記憶させたり、ＨＤＤ２６０から画像データを読み込んだりする。
【００５０】
コネクタ１４２とコネクタ１４７は、それぞれリーダ部２００とプリンタ部３００とに接続され、同調歩同期シリアルＩ／Ｆ（１４３、１４８）とビデオＩ／Ｆ（１４４、１４９）とから構成される。
【００５１】
スキャナＩ／Ｆ１４０は、コネクタ１４２を介してリーダ部２００と接続され、スキャナバス１４１を介してメインコントローラ１１１と接続されている。スキャナＩ／Ｆ１４０は、リーダ部２００から受け取った画像に対して所定の処理を施す。また、スキャナＩ／Ｆ１４０は、リーダ部２００から送られたビデオ制御信号をもとに生成した制御信号を、スキャナバス１４１に出力する。スキャナバス１４１からＤＲＡＭ１１６へのデータ転送は、バスコントローラ１１３によって制御される。
【００５２】
プリンタＩ／Ｆ１４５は、コネクタ１４７を介してプリンタ部３００と接続され、プリンタバス１４６を介してメインコントローラ１１１と接続されている。プリンタＩ／Ｆ１４５は、メインコントローラ１１１から出力された画像データに所定の処理を施してプリンタ部３００へ出力する。ＤＲＡＭ１１６上に展開されたラスタイメージデータのプリンタ部への転送はバスコントローラ１１３によって制御され、ラスタイメージデータはプリンタバス１４６、プリンタＩ／Ｆ１４５、ビデオＩ／Ｆ１４９を経由してプリンタ部３００へＤＭＡ転送される。
【００５３】
ＳＲＡＭ（Ｓｔａｔｉｃ  Ｒａｎｄｏｍ  Ａｃｃｅｓｓ  Ｍｅｍｏｒｙ）１５１は、バックアップ用の電池から供給される電源により、ＭＦＰ１００全体の電源が遮断されても、記憶内容を保持可能なメモリである。ＳＲＡＭ１５１は、バス１５０を介してＩ／Ｏ制御部と接続されている。
【００５４】
ＥＥＰＲＯＭ（Ｅｌｅｃｔｏｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）１５２も、同様にバス１５０を介してＩ／Ｏ制御部１２６と接続されたメモリである。
【００５５】
無線通信Ｉ／Ｆ１８０は、図２に示す無線通信部４００との間でデータの受渡しを行うＩ／Ｆであって、ＣＰＵ１１２は、無線通信Ｉ／Ｆ１８０を介して無線通信部４００からデータを受信する。また、ＣＰＵ１１２は、無線通信Ｉ／Ｆ１８０を介して無線通信部４００にデータを転送する。
【００５６】
次に、図４を用いて、操作部２５０の構成について説明する。
【００５７】
操作部２５０は、タッチパネル部４０１とキー入力部４０２とからなる。
【００５８】
タッチパネル部４０１は、ＬＣＤ（Ｌｉｑｕｉｄ  Ｃｒｙｓｔａｌ  Ｄｉｓｐｌａｙ）と、その上に貼られた透明電極からなるタッチパネルディスプレイを有する。当該タッチパネル部４０１は、ユーザからの各種設定を受付ける機能と、ユーザに情報を提示する機能とを有する。例えば、ＬＣＤ上に表示された表示キーに該当する個所がユーザにより押下されたことを検知すると、ＣＰＵ１１２は当該表示キーに応じた処理を実行する。尚、タッチパネル部４０１に表示される画面の表示例については、後述する。
【００５９】
キー入力部４０２は、操作部電源スイッチ４０３を備える。該操作部電源スイッチ３０３がユーザによって押されると、ＣＰＵ１１２は、スタンバイモード（通常動作状態）とスリープモード（消費電力を抑えている状態）を選択的に切換える。ＣＰＵ１１２は、該操作部電源スイッチ４０３のユーザによる操作を、システム全体の電源供給を行う主電源スイッチ（不図示）がオンの状態で受付ける。
【００６０】
スタートキー４０４は、例えば、スキャナ部１１３を用いた原稿読取動作や、読み取った原稿の印刷処理といった一連の動作を、印刷ジョブとして、ＭＦＰ１００のＣＰＵ１１２に実行させるための指示をユーザから受付ける際に用いられるキーである。また、スタートキー４０４は、ＨＤＤ２６０に記憶された画像データをネットワークＩ／Ｆ１０９を介して外部に送信する動作を、データ送信ジョブとして、ＭＦＰ１００のＣＰＵ１１２に実行させるための指示をユーザから受付ける際に用いられるキーである。
【００６１】
ストップキー４０５は、受付けた印刷ジョブの処理を、中断する指示をユーザから受付けるためのキーである。
【００６２】
リセットキー４０６は、印刷対象のジョブに対して、ユーザにより設定された各種設定を無効にし、設定値をデフォルト状態に戻す指示をユーザから受付けるためのキーである。
【００６３】
ユーザモードキー４０７は、ユーザごとのシステム設定を行うための画面をタッチパネル部４０１に表示させるためのキーである。
【００６４】
テンキー４０８は、各種設定の置数の設定をユーザにより実行するためのキーである。クリアキー４０９は、テンキー４０８を介してユーザにより入力された、例えばユーザＩＤやパスワード等の入力値を削除するためのキーである。
【００６５】
次に、図５を用いて、タッチパネル部４０１に表示されるジョブ設定画面の例を説明する。図５は、ＭＦＰ１００の電源を入れたときに、標準画面としてタッチパネル部４０１に表示される設定画面の例である。
【００６６】
コピーキー５０１が押されると、ＣＰＵ１１２は、タッチパネル部４０１にコピージョブに関する設定を行うためのコピージョブ設定画面を表示する。図５に示す画面はコピージョブに関する設定を行うためのコピージョブ設定画面の例である。ＣＰＵ１１２は、この画面を介して、印刷部数や、印刷用紙、印刷倍率等の印刷条件の設定をユーザから受付ける。設定を受付けた状態で、スタートキー４０４が押されると、ＣＰＵ１１２は、スキャナ部３０６で原稿を読み取り、プリンタ部３０５によって、設定された印刷条件に従って、印刷を行う。
【００６７】
送信／ファクスキー５０２が押されると、ＣＰＵ１１２は、タッチパネル部４０１に、ＭＦＰ１００が有するデータ送信機能、または、ファクシミリ機能に関する設定を行うためのデータ送信ジョブ設定画面を表示する。データ送信機能とは、リーダ部２００で原稿を読み取った後に所定のフォーマットに変換し、電子データとして画像データを外部の情報処理装置やサーバーに送信、もしくは後述するボックス等に格納したりする機能である。本実施例におけるデータ送信機能の詳細は、後述することにする。
【００６８】
ボックスキー５０３が押されると、ＣＰＵ１１２は、タッチパネル部４０１に、ＭＦＰ１００が有するボックス機能に関する設定を行うためのボックス機能設定画面を表示する。ボックス機能とは、ＣＰＵ１１２が、スキャナで読み取った画像データや外部から受信した画像データをファイルとして、ＨＤＤ２６０内のボックスと呼ばれる記憶領域に保存しておく。後に、ユーザの指示に基づいて、ボックス内の画像データの印刷や送信を行う機能である。ＨＤＤ２６０は、複数のボックスを有し、ユーザは、画像データを格納する際に、複数のボックスのうち、特定のボックスを指定して画像データを格納することができる。また、各ボックスにパスワードを設定できるようにしてもよい。その場合、ＣＰＵ１１２は、あるボックスに格納された画像データを参照する際に、そのボックスに対して設定されたパスワードが入力されるまでは、ボックスに格納された画像データの表示を禁止し、画像データの参照、使用を禁止する。そして、ＣＰＵ１１２は、そのボックスに対して設定されたパスワードが入力されたら、ボックスに格納された画像データの表意を許可し、画像データの参照、使用を許可する。
【００６９】
図２５は、ノート型ＰＣ１０００のブロック図である。
【００７０】
ＣＰＵ２５０１は、ノート型ＰＣ１０００の全体の動作を制御する。ＲＯＭ２５０２は、ＣＰＵ２５０１によって実行されるブートプログラムを格納するＲＯＭである。ＨＤＤ２５０３は、ＣＰＵ２５０１によって実行されるプログラムを格納し、さらに画像データなどの各種ユーザのデータをディレクトリ構造で格納できるファイルシステムである。ＲＡＭ２５０４は、ＣＰＵ２５０１がプログラムを実行するためのワークエリア、画像データを一時的に蓄積する画像バッファとして使われる。操作部２５０５は、ノート型ＰＣに各種指示を行うための操作部である。操作部２５０５は、ユーザがファイルシステムから所望のフォルダ、ファイルを指定するためにも用いられる。表示部２５０６は、ユーザに操作画面、格納しているデータのフォルダ、ファイルを表示する。無線通信Ｉ／Ｆ２５０７は、図２に示すＭＦＰ１００の無線通信部４００とデータの受け渡しを行う。バス２５０８を介して、ノート型ＰＣ１０００内の各部と各種データ、コマンドなどの通信が行われる。
【００７１】
次に、図１９、図２１のフローチャートを参照することによって、本発明の実施例に適用される画像処理システムにおける一連の流れを説明する。なお、図１９のフローチャートで示す手順がコントローラ部１１０のＲＯＭ１１４、ＤＲＡＭ１１６、ＨＤＤ２６０のいずれかの記憶媒体に記憶され、ＣＰＵ１１２によって実行される。また、図２１のフローチャートで示されるプログラムは、ノート型ＰＣ１０００のＲＯＭ２５０２、ＨＤＤ２０５０３、ＲＡＭ２５０４のいずれかの記憶媒体に記憶され、ＣＰＵ２５０１によって実行される。本発明の実施例における、記憶媒体のメモリマップを図２２に示す。
【００７２】
図１９は、本実施例において、原稿をリーダ部２００で読み込んで、所定のフォーマットに変換した後に、その画像データの格納場所を直感的に指定し、送信するまでのＭＦＰ１００でのフローの一例を示したものである。ここでは、ＭＦＰ１００からノート型ＰＣに画像データを送信する場合の例を示している。
【００７３】
まず、最初にステップＳ１９００において、データ送信機能における送信先の選択を行う。図６は、図５において送信／ファクスキー５０２が押下された後のタッチパネル部４０１に表示される画面である。図６で示されるように、データ送信機能及びファクスの送信先としては電子メール、ファイルサーバー、ボックス、Ｉファクス、近距離無線通信などが挙げられる。また、ファイル形式６０２を選択することで、リーダ部２００で読み取った画像を、どのファイル形式に変換するか設定することが可能である。一般的にはＴＩＦＦやＰＤＦといったファイル形式が用いられる。
【００７４】
ユーザがステップＳ１９００において、近距離無線通信以外を選択した場合には、通常のデータ送信機能の処理が行われる（Ｓ１９０９）。一方、近距離無線通信を選択した場合には、ＭＦＰ１００の無線通信部４００より通信接続要求が発行される（ステップＳ１９０１）。また、それと同時にＭＦＰ１００は、操作部２５０のタッチパネル部４０１上に送信先の機器（本実施例ではノート型ＰＣ）を置くように表示を行う（ステップＳ１９０１）。
【００７５】
この時、タッチパネル部４０１に表示される画面の例を図７に示す。図７に示されるように、ノート型ＰＣを通信部１０（無線通信部４００）に置く前に、スキャナで読み取った画像の格納場所とするべきディレクトリを開く、もしくは選択をする。
【００７６】
ステップＳ１９０２において、ユーザがノート型ＰＣを上記の状態で置くと、近距離無線通信の接続が成立して接続完了となる（ステップＳ１９０３）。
【００７７】
図２３に従って、ＭＦＰ１００とノート型パソコンの信号の送受信について説明する。まず、ユーザがＭＦＰ１００の操作部２５０において、データ送信方法として近距離無線通信を選択する（ステップＳ２２００）（ステップＳ１９０１に同じ）。近距離無線通信が選択されると、無線通信部４００は、接続要求を一定間隔で送信する。接続要求は送信先であるノート型ＰＣ１０００が無線通信部４００に置かれる、もしくは近づけられるまで続けられる。ステップＳ２２０１において、ユーザが通信部１０（無線通信部４００）にノート型ＰＣを置くと、ノート型ＰＣはＭＦＰ１００からの接続要求を受信し、今度は逆に接続要求認識をＭＦＰ１００に送信する。最後にＭＦＰ１００は接続要求認識を受信した後に、最終確認である接続認識をノート型ＰＣに送信する。この接続認識をノート型ＰＣが受信した後に、近距離無線通信の接続が成立し、接続完了となる（ステップＳ１９０３に同じ）。これによって、ＭＦＰ１００とノート型ＰＣの間で近距離無線通信が開始される。  ＭＦＰ１００はステップＳ１９０３において、近距離無線通信が開始されると、ノート型ＰＣで現在開かれている、もしくは選択されているディレクトリのパス情報をノート型ＰＣから無線通信を介して取得する。これによって、能登方ＰＣＭＦＰ１００は、取得したディレクトリのパスを操作部２５０のタッチパネル４０１上に表示する（ステップＳ１９０４）。
【００７８】
ユーザは、データ送信機能の送信先として、タッチパネル４０１上に表示されたディレクトリのパスをデータの送信先とするのであれば（ステップＳ１９０５）、実際にスタートキー４０４を押下して原稿のスキャンを開始する。ＭＦＰ１００は、リーダ部２００によって読み込まれた画像データを、ＣＰＵ１１２によりユーザが選択したフォーマット形式に変換を行う（ステップＳ１９０７）。その後、ＭＦＰ１００は、変換された画像データ及び先ほどノート型ＰＣから取得したディレクトリのパス情報を、近距離無線通信を介してノート型ＰＣに送信する（ステップＳ１９０８）。
【００７９】
一方、この時のノート型ＰＣでの一連の処理フローを、図２１を参照することによって説明する。まず、ユーザがＭＦＰ１００で読み込む画像を格納したいディレクトリを選択するか、もしくはディレクトリを開いて通信部１０の上に置く。ノート型ＰＣのＣＰＵ２５０１は、ノート型ＰＣが通信部１０の上に置かれたことを、ＭＦＰ１００からの接続要求を受信することによって検知する（ステップＳ２１００）。ユーザが、ノート型ＰＣを通信部１０に置くとノート型ＰＣは接続要求認識をＭＦＰ１００に送信する。さらに、ＭＦＰ１００からの接続要求認識を受信すると近距離無線通信の接続が完了し、データの送受信が行える状態となる（ステップＳ２１０１）。その後、ノート型ＰＣは、図２４のフローチャートで示されるとおり、ＭＦＰ１００から格納場所を示すディレクトリのパス情報を取得し、画像データを受信する（Ｓ２１０２）。この際、ＭＦＰ１００は画像を読み込み、所定のフォーマット形式に変換した後に、変換された画像データ及びディレクトリのパスを示す情報をノート型ＰＣに送信する。最後に、ノート型ＰＣは、受信した画像データを、同じく受信したディレクトリのパスに格納する（ステップＳ２１０３）。この時、ノート型ＰＣは、新たにディレクトリを作成して格納する場合もある。この詳細は、後述する。
【００８０】
図１９及び図２１のフローチャートにより、本実施例における一連の処理フローを説明したが、ノート型ＰＣでのディレクトリの指定に関してはいくつかのケースが考えられるので、ここではその内のいくつかを例にとって説明を行う。
【００８１】
図２４のフローチャート、図８〜図１７を例にとって各ケースについて説明する。図２４のフローチャートで示す手順は、ＲＯＭ２５０２、ＨＤＤ２０５０３、ＲＡＭ２５０４のいずれかの記憶媒体に記憶されたプログラムにしたがって、ＣＰＵ２５０１によって実行される。
【００８２】
図２４のフローチャートは、無線通信Ｉ／Ｆ２５０７が近距離無線通信によってノート型ＰＣの格納場所に関する情報をＭＦＰ１００に送信するためのフローである。近接無線通信を行う場合、このフローを実行されるので、ＭＦＰ１００のユーザは、いかに示す簡単な操作で画像をノート型ＰＣの所望の格納場所に画像を格納することができる。ノート型ＰＣのＣＰＵ２５０１はディレクトリが開かれているか（ステップＳ２４０１）、フォルダが選択されているか（ステップＳ２４０２）を判断することで、以下のケースを実行する。
【００８３】
＜ケース１＞  ディレクトリを開いた状態で、どのフォルダも選択していない場合
このケースでのノート型ＰＣでの表示画面の状態を図８に示している。図８は、「格納場所」と名づけられたフォルダが開かれ、そのフォルダの中に３つのフォルダ８０２〜８０３があるが、そのいずれも選択されていない場合を示している。但し、「格納場所」のＷｉｎｄｏｗは選択されており、ツールバー８０１がアクティブな状態を示している。
【００８４】
この状態でユーザがノート型ＰＣを通信部１０に置くと、ノート型ＰＣは開かれているディレクトリのパスを示す情報をＭＦＰ１００に送信する（ステップＳ２４０３）。ＭＦＰ１００はノート型ＰＣで現在開かれている「格納場所」フォルダのパスを示す情報を取得する。そして、その後ＭＦＰ１００は、「格納場所」フォルダの直下に自動的に例えば格納した日付・時間のフォルダ名を持つフォルダを格納先として表示を行う（ステップＳ１９０４）。この時の、タッチパネル４０１上の表示の例を図９に示す。ユーザが、もし図９で示されているディレクトリが所望のパスであるならば（ステップＳ１９０５）、ＹＥＳキー９０１を押下することにより、実際にスキャンを開始することになる。
【００８５】
その後、ノート型ＰＣは、ＭＦＰ１００から変換された画像データ及びディレクトリのパス情報を受信し、指定されたパスに画像データを格納する（ステップＳ２１０３）。画像データがノート型ＰＣに格納された様子を図１０に示す。図１０に示す様に、ノート型ＰＣは、「格納場所」フォルダ直下に日付「２００８ＸＸＸＸ」と言うフォルダを作成して、そこに画像データを格納している。ここでは、日付を例に説明したが、日時、時刻などの情報でもよい。その他、作成したフォルダが一意に識別できる名称であればよい。
【００８６】
一方、ステップＳ１９０５において、ユーザがタッチパネル４０１上に表示されているパスが所望でなくＮＯキー９０２を押下した場合、タッチパネル４０１上でノート型ＰＣのディレクトリ階層を探索することができる（ステップＳ１９０６）。この時の、タッチパネル４０１上の表示例を図１８に示す。但し、この探索する作業が煩雑であると感じるユーザは、再度ノート型ＰＣで所望のディレクトリを開く、もしくは選択する作業を行って通信部１０に置くことで、格納するパスを再指定することも可能である。
【００８７】
＜ケース２＞  あるフォルダを選択している場合
このケースでのノート型ＰＣでの表示画面の状態を図１１に示している。図１１は、「格納場所」と名づけられたフォルダが開かれ、そのフォルダの中にある「地図」と言うフォルダ１１０１を選択している場合を示している。
【００８８】
この状態でユーザがノート型ＰＣを通信部１０に置くと、選択されているフォルダのパス情報がＭＦＰ１００に送信される（ステップＳ２４０４）。ＭＦＰ１００はノート型ＰＣで現在指定されている「地図」フォルダのパス情報を取得する。そして、その後ＭＦＰ１００は、「地図」フォルダを格納先として表示を行う（ステップＳ１９０４）。この時の、タッチパネル４０１上の表示の例を図１２に示す。ユーザが、もし図１２で示されているディレクトリが所望のパスであるならば（ステップＳ１９０５）、ＹＥＳキー１２０１を押下することにより、実際にスキャンを開始することになる。ＮＯキー１２０２を押下した時は、ケース１と同様なフローになる。
【００８９】
その後、ノート型ＰＣは、ＭＦＰ１００から変換された画像データ及びディレクトリのパス情報を受信し、指定されたパスに画像データを格納する（ステップＳ２１０３）。画像データがノート型ＰＣに格納された様子を図１３に示す。図１３に示す様に、ノート型ＰＣは、ユーザが指定した「地図」フォルダに画像データを格納している。
【００９０】
＜ケース３＞  どのディレクトリも選択されていない場合
このケースはユーザが画像データの所望の格納先を全く指定せずに、通信部１０の上にノート型ＰＣを置いてしまった時の例である。
【００９１】
この状態でユーザがノート型ＰＣを通信部１０に置くと、デスクトップのパス情報がＭＦＰ１００に送信される（Ｓ２４０５）。ＭＦＰ１００はノート型ＰＣの「デスクトップ」のパス情報を取得する。そして、その後、ＭＦＰ１００は、「デスクトップ」の直下に自動的に例えば日付のフォルダ名を持つフォルダを格納先として表示を行う（ステップＳ１９０４）。この時の、タッチパネル４０１上の表示の例を図１４に示す。ユーザが、もし図１４で示されているディレクトリが所望のパスであるならば（ステップＳ１９０５）、ＹＥＳキー１４０１を押下することにより、実際にスキャンを開始することになる。ＮＯキー１４０２を押下した時は、ケース１と同様なフローになる。
【００９２】
その後、ノート型ＰＣは、ＭＦＰ１００から変換された画像データ及びディレクトリのパス情報を受信し、指定されたパスに画像データを格納する（ステップＳ２１０３）。画像データがノート型ＰＣに格納された様子を図１５に示す。図１５に示す様に、ノート型ＰＣは、「デスクトップ」直下に日付「２００８ＸＸＸＸ」と言うフォルダを作成して、そこに画像データを格納している。
【００９３】
＜ケース４＞  複数のフォルダをユーザが指定している場合
このケースでのノート型ＰＣでの表示画面の状態を図１６に示している。図１６は、「格納場所」と名づけられたフォルダが開かれ、そのフォルダの中にある「お気に入り」と「地図」と言う二つのフォルダ１６０１、１６０３を選択している場合を示している。
【００９４】
この状態でユーザがノート型ＰＣを通信部１０に置くと、ＭＦＰ１００はノート型ＰＣで現在選択されている「お気に入り」と「地図」の双方のフォルダのパス情報を取得する。そして、その後ＭＦＰ１００は、「お気に入り」と「地図」の双方のフォルダのパスを格納先として表示を行い、どちらのフォルダに格納するかをユーザに選択させる（ステップＳ１９０４）。この時の、タッチパネル４０１上の表示の例を図１７に示す。その後、ノート型ＰＣは、図１７で選択したディレクトリのパスに、画像データを格納する。
【００９５】
このように、ノート型ＰＣとＭＦＰ１００間で、近距離無線通信の接続完了すると、ノート型ＰＣは、ユーザが操作していた状況に応じて、ノート型ＰＣの格納場所情報を簡単にＭＦＰ１００に送信することができる。
【００９６】
上述のように、本実施例によればＭＦＰ１００で読み込んだ画像をノート型ＰＣ１０００に送信する際に、ユーザは直感的にわかりやすい非常に簡単な操作で格納先情報を取得できる。即ち、ユーザはノート型ＰＣの所望のフォルダを開いて、ノート型ＰＣをＭＦＰ１００の通信部１０に置く操作をするだけで格納先情報を送信できる。また、受信した画像データも、ノート型ＰＣの所望のフォルダに格納することができる。一方、ＭＦＰ１００は、ノート型ＰＣをＭＦＰ１００の通信部１０に置く操作をするだけで格納先情報受信できる。
【００９７】
ここでは、ユーザがノート型ＰＣをＭＦＰ１００の通信部１０に置くことで近距離無線通信が開始される例について説明したがこれに限らない。ユーザがノート型ＰＣをＭＦＰ１００の通信部１０に近づけることで、近距離無線通信が開始されてもよい。
【００９８】
また、ここでは、リーダ部２００においた原稿を読み取って送信する例について説明したがこれに限らない。ＨＤＤ２６０内のボックスに記憶されている画像を、近距離無線通信を用いて、ノート型ＰＣ送信する場合に適用しても良い。この場合、リーダ部２００に原稿を置く代わりに、ＨＤＤ２６０内に蓄積されている画像ファイル又はボックスを指定した状態で近距離無線通信が選択される。以降は図１９の処理が実行される。ただし、この場合、原稿の読み取りは行わないので、Ｓ１９０７のスキャンの開始は実行されずに送信用データが作成されるだけである。
【００９９】
さらに、ここでは、図２４に示すとおりノート型ＰＣで選択されているパス情報をＭＦＰ１００に送信し、ユーザがＭＦＰ１００上でパス情報を指定し、パス情報とともに画像データを送信する例について説明したがこれに限らない。ノート型ＰＣでパス情報が選択されている状態で通信部１０に置いた場合、ＭＦＰ１００とパス情報の送受信をしないようにしても良い。この場合、ＭＦＰ１００ではステップＳ１９０４〜ステップＳ１９０６の処理は行われない。同様に、ステップＳ１９０８においても、パス情報の送受信をせずに画像データの送信のみが行われる。一方、近距離無線通信を介して画像を受信したノート型ＰＣは、図２４のフローチャートと同様の処理に従って受信した画像の格納先を決定する。すなわちディレクトリが開かれているか、フォルダが選択されているかに基づいて、画像データを格納するパス情報を取得し、そのパス情報に受信した画像を格納する。この場合、ＭＦＰ１００のユーザはノート型ＰＣの画像の格納場所を意識せず、簡単な操作で所望の原稿をノート型ＰＣに送信することができる。
【０１００】
＜第２の実施形態＞
本発明における第２の実施形態におけるハードウェア構成は、第１の実施形態と同一である。
【０１０１】
第１の実施形態では、データ送信機能の送信先として近距離無線通信６０１を選択したとタイミングでＭＦＰ１００は通信接続要求を発行していたが、第２の実施形態では、実際に原稿をスキャンし、データを変換して後に通信接続要求を発行する例を説明する。
【０１０２】
図２０のフローチャートを参照することによって、本発明の実施例に適用される画像処理システムにおける一連の流れを説明する。なお、図２０のフローチャートで示す手順がコントローラ部１１０のＲＯＭ１１４、ＤＲＡＭ１１６、ＨＤＤ２６０のいずれかの記憶媒体に記憶され、ＣＰＵ１１２によって実行される。本発明の実施例における、記憶媒体のメモリマップを図２２に示す。
【０１０３】
図１９のフローチャートと図２０のフローチャートの違いは、スキャンを開始してデータ送信用のデータ変換を行ってからＭＦＰ１００がノート型ＰＣに対して通信接続要求を行う点のみである。要するに、ノート型ＰＣを置くタイミングが原稿をスキャンする前か、その後になるかの違いだけである。しかし、スキャンする原稿の枚数が大量にあるような場合だと、第１の実施形態ではスキャンしている間ずっと無線通信部４００にノート型ＰＣを置いておく必要がある。ノート型ＰＣを長時間に渡って無線通信部４００に置いておくことは、盗難や無線通信部４００からの落下の危険性が高まり、あまり望ましいとは言えない。従って、ＭＦＰ１００が実際に所望のファイル形式に画像データを変換して、データを送信する準備が整ってから、ノート型ＰＣに対して通信接続要求を発行し、所望のディレクトリのパス情報を取得することになる。こうすることにより、ノート型ＰＣを通信部１０に置く時間が必要最低限に抑えられ、様々な危険を回避する確率を高めることが可能になる。それ以外の処理フローは第１の実施形態と同様である。
【０１０４】
以上、主に近距離無線通信での実施の形態を説明したが、本発明の実施の形態はそれだけにとどまらず、様々なＩ／Ｆにおいても適用可能である。
【０１０５】
本発明は、前述した実施形態の機能を実現するソフトウエアのプログラムコードを記憶した記憶媒体（または記録媒体）を、システムあるいは装置に供給しても実現できる。そして、そのシステムあるいは装置のコンピュータ（またはＣＰＵやＭＰＵ）が記憶媒体に格納されたプログラムコードを読み取り、実行することによっても、達成される。
【０１０６】
この場合、記憶媒体から読み取られたプログラムコード自体が前述した実施形態の機能を実現することになり、そのプログラムコードを記憶した記憶媒体は本発明を構成することになる。
【０１０７】
又、コンピュータが読み出したコードを実行することにより、前述した実施形態が実現されるだけでなく、そのプログラムコードの指示に基づき、コンピュータ上で稼動しているオペレーティングシステム（ＯＳ）などの実際の処理の一部または全部を行い。その処理によって前述した実施形態の機能が実現される場合も含まれることは言うまでもない。
【０１０８】
さらに、記憶媒体から読み出されたプログラムコードが、コンピュータに挿入された機能拡張カードやコンピュータに接続された機能拡張ユニットに備わるメモリに書込まれる。その後、プログラムコードの指示に基づき、その機能拡張カードや機能拡張ユニットに備わるＣＰＵなどが実際の処理の一部または全部を行う。このような処理によって前述した実施形態の機能が実現されることは言うまでもない。
【０１０９】
本発明を前述の記憶媒体に媒体に適用する場合、その記憶媒体には、先に説明したフローチャートに対応するプログラムコードが格納されることになる。
【０１１０】
また、ハードウエアのみ、またはハードウエアとソフトウエアの組み合わせによっても実現可能である。
【図面の簡単な説明】
【０１１１】
【図１】画像処理装置の概観を示す図である
【図２】画像処理システムの構成を示す図である
【図３】コントローラ部の構成ブロックを示す図である
【図４】操作部におけるタッチパネルの表示を示す図である
【図５】タッチパネルにおけるジョブ設定画面を示す図である
【図６】タッチパネルにおける送信／ＦＡＸの設定画面を示す図である
【図７】図６において近距離無線通信を選択した後の画面を示す図である
【図８】本発明の実施形態１のケース１での、ノート型ＰＣにおいて所望のディレクトリを開いている画面を示す図である
【図９】本発明の実施形態１のケース１での、タッチパネルにおける格納するディレクトリのパスを表示している図である
【図１０】本発明の実施形態１のケース１での、ノート型ＰＣの所望のディレクトリに画像データが格納されている事を示す図である
【図１１】本発明の実施形態１のケース２での、ノート型ＰＣにおいて所望のフォルダを選択している画面を示す図である
【図１２】本発明の実施形態１のケース２での、タッチパネルにおける格納するディレクトリのパスを表示している図である
【図１３】本発明の実施形態１のケース２での、ノート型ＰＣの所望のディレクトリに画像データが格納されている事を示す図である
【図１４】本発明の実施形態１のケース３での、タッチパネルにおける格納するディレクトリのパスを表示している図である
【図１５】本発明の実施形態１のケース３での、ノート型ＰＣの所望のディレクトリに画像データが格納されている事を示す図である
【図１６】本発明の実施形態１のケース４での、ノート型ＰＣにおいて所望のフォルダを複数選択している画面を示す図である
【図１７】本発明の実施形態１のケース４での、タッチパネルにおける格納するディレクトリのパスの選択肢を表示している図である
【図１８】本発明の実施形態１のケース１での、タッチパネルにおいてノート型ＰＣのディレクトリ階層を探索するための表示画面を示している図である
【図１９】本発明の第１の実施形態に係るＭＦＰでの処理フローを示すフローチャートである
【図２０】本発明の第２の実施形態に係るＭＦＰでの処理フローを示すフローチャートである
【図２１】本発明の第１の実施形態に係るノート型ＰＣでの処理フローを示すフローチャートである
【図２２】本発明の実施形態に係るＭＦＰ及びノート型ＰＣの記憶媒体のメモリマップを示す図である
【図２３】本発明の実施形態に係るＭＦＰとノート型ＰＣ間での近距離無線通信の通信接続完了までのフローを示すフローチャートである
【図２４】ノート型ＰＣの格納場所に関する情報をＭＦＰ１００に送信するためのフローチャートである
【図２５】ノート型ＰＣ１０００を示すフローチャートである
【符号の説明】
【０１１２】
１０  通信部
１１  表示部
１００  ＭＦＰ
１１０  制御装置（コントローラ部）
１１２  ＣＰＵ
１１４  ＲＯＭ
１１６  ＤＲＡＭ
２００  リーダ部
２５０  操作部
２６０  ＨＤＤ
３００  プリンタ部
４００  無線通信部
４０１  タッチパネル部
４０２  キー入力部
５０２  送信／ファクスキー
６０１  近距離無線通信キー
１０００  ノート型ＰＣ
【図１】
2010122810.tif 000003
【図２】
2010122810.tif 000004
【図３】
2010122810.tif 000005
【図４】
2010122810.tif 000006
【図５】
2010122810.tif 000007
【図６】
2010122810.tif 000008
【図７】
2010122810.tif 000009
【図８】
2010122810.tif 000010
【図９】
2010122810.tif 000011
【図１０】
2010122810.tif 000012
【図１１】
2010122810.tif 000013
【図１２】
2010122810.tif 000014
【図１３】
2010122810.tif 000015
【図１４】
2010122810.tif 000016
【図１５】
2010122810.tif 000017
【図１６】
2010122810.tif 000018
【図１７】
2010122810.tif 000019
【図１８】
2010122810.tif 000020
【図１９】
2010122810.tif 000021
【図２０】
2010122810.tif 000022
【図２１】
2010122810.tif 000023
【図２２】
2010122810.tif 000024
【図２３】
2010122810.tif 000025
【図２４】
2010122810.tif 000026
【図２５】
2010122810.tif 000027